(57)【要約】【課題】本発明は、妨害信号の存在状況に応じて最適なフィルタ回路を選択することにより、希望周波数帯である第１周波数帯における受信装置の受信感度と耐妨害性能とを両立させることを目的とする。【解決手段】上記目的を達成するために本発明の受信装置５は、第２フィルタ回路１１からの妨害信号の受信レベルを検出する検波部２８と、この検波部２８が検出した妨害信号の受信レベルが予め定められた値以上の場合、スイッチ回路８の出力を第１フィルタ回路９側に接続し、検波部２８が検出した妨害信号の受信レベルが予め定められた値未満の場合、スイッチ回路８の出力を第２フィルタ回路１１側に接続する制御部３２とを有する。【選択図】図１
2007266811.tif 000002
【特許請求の範囲】
【請求項１】
アンテナ端子と、
このアンテナ端子に接続されたスイッチ回路と、
このスイッチ回路の一方の出力側に接続されると共に第１周波数帯を通過帯域とする第１フィルタ回路と、
この第１フィルタ回路の出力側に接続された第１受信回路と、
前記スイッチ回路の他方の出力側に接続されると共に前記第１周波数帯を含み前記第１周波数帯よりも広い周波数帯の第２周波数帯を通過帯域とする第２フィルタ回路と、
この第２フィルタ回路の出力側に接続された第２受信回路と、
前記第２フィルタ回路からの妨害信号の受信レベルを検出する検波部と、
この検波部が検出した前記妨害信号の受信レベルが予め定められた値以上の場合、前記スイッチ回路の出力を前記第１フィルタ回路側に接続し、前記検波部が検出した前記妨害信号の受信レベルが予め定められた値未満の場合、前記スイッチ回路の出力を前記第２フィルタ回路側に接続する制御部とを有する受信装置。
【請求項２】
前記第２周波数帯は、前記第１周波数帯及び前記第１周波数帯と近接する周波数帯から構成される請求項１に記載の受信装置。
【請求項３】
前記制御部は、前記スイッチ回路の出力が前記第１フィルタ回路側である場合、前記第２受信回路の電源を遮断し、前記スイッチ回路の出力が前記第２フィルタ回路側である場合、前記第１受信回路の電源を遮断するように制御される請求項１に記載の受信装置。
【請求項４】
前記第１受信回路は、前記第１フィルタ回路からの信号を増幅させる第１利得制御増幅器を有し、
前記第２受信回路は、前記第２フィルタ回路からの信号を増幅させる第２利得制御増幅器を有し、
前記第１利得制御増幅器の利得が抑圧動作開始する前記アンテナ端子における入力レベルは、前記第２利得制御増幅器の利得が抑圧動作開始する前記アンテナ端子における入力レベルより大きい請求項１に記載の受信装置。
【請求項５】
前記検波部は、前記第２混合器の出力信号をもとに妨害信号の受信レベルを検出する請求項１に記載の受信装置。
【請求項６】
前記検波部は、前記第２利得制御増幅器の出力信号をもとに妨害信号の受信レベルを検出する請求項１に記載の受信装置。
【請求項７】
前記第１受信回路は、前記第１フィルタ回路からの信号を増幅させる第１利得制御増幅器を有し、
前記第２受信回路は、前記第２フィルタ回路からの信号を増幅させる第２利得制御増幅器を有し、
前記第１利得制御増幅器の最大利得は前記第２利得制御増幅器の最大利得より大きい請求項１に記載の受信装置。
【請求項８】
前記第２利得制御増幅器は、前記制御部の制御によって、妨害信号検出時における最大利得と、希望信号受信時における最大利得とが異なるように制御される請求項１に記載の受信装置。
【請求項９】
前記第１フィルタ回路は並列に接続された複数のフィルタ回路から構成され、前記スイッチ回路の出力は、前記複数のフィルタ回路の入力と前記第２フィルタ回路の入力とに選択的に接続される請求項１に記載の受信装置。
【請求項１０】
第３受信回路を有し、この第３受信回路と前記第２受信回路とを用いて前記第１周波数帯の上下に隣接する２つの周波数帯に存在する妨害信号を受信し、これら２つの周波数帯に存在する妨害信号の受信レベルを略同時に検出し、前記制御部は、この検出結果に基づいて、前記スイッチ回路の出力を、前記第１フィルタ回路側、もしくは前記第２フィルタ回路側に接続する請求項１に記載の受信装置。
【請求項１１】
前記第１フィルタ回路からの希望信号の受信レベルを検出する希望信号検波部を有し、
前記制御部は、制御希望信号検波部が検出した前記希望信号の受信レベルと前記検波部が検出した前記妨害信号の受信レベルに基づいて、前記スイッチ回路の出力を、前記第１フィルタ回路側、もしくは前記第２フィルタ回路側に接続する請求項１に記載の受信装置。
【請求項１２】
前記スイッチ回路と前記第２受信回路との間に接続された第２アンテナ端子を有し、前記制御部により前記スイッチ回路の出力が前記第１フィルタ回路側に接続されるように制御し、前記第１受信回路が前記アンテナ端子から受信した信号と、前記第２受信回路が前記第２アンテナ端子から受信した信号とを用いてダイバシティ受信をする請求項１に記載の受信装置。
【請求項１３】
前記制御部は、時刻を示す信号に基づいて、前記スイッチ回路の出力が前記第２フィルタ側に接続されるように制御する請求項１に記載の受信装置。
【請求項１４】
前記検波部における妨害信号の受信レベル検出を、予めチャンネルサーチ時に実行する請求項１に記載の受信装置。
【請求項１５】
前記第１フィルタ回路はＳＡＷフィルタから構成され、前記第２フィルタ回路は、ＬＴＣＣフィルタもしくはディスクリートフィルタから構成される請求項１に記載の受信装置。
【請求項１６】
アンテナ端子と、
このアンテナ端子に接続されたスイッチ回路と、
このスイッチ回路の一方の出力側に接続されると共に第１周波数帯の信号を通過帯域とする第１フィルタ回路と、
この第１フィルタ回路の出力側に接続された第１受信回路と、
前記スイッチ回路の他方の出力側に接続されると共に前記第１周波数帯を含み前記第１周波数帯よりも広い周波数帯の第２周波数帯の信号を通過帯域とする第２フィルタ回路と、
この第２フィルタ回路の出力側に接続された第２受信回路と、
前記第２フィルタ回路からの妨害信号の受信レベルを検出する検波部と、
この検波部が検出した前記妨害信号の受信レベルが予め定められた値以上の場合、前記スイッチ回路の出力を前記第１フィルタ回路側に接続し、前記検波部が検出した前記妨害信号の受信レベルが予め定められた値未満の場合、前記スイッチ回路の出力を前記第２フィルタ回路側に接続する制御部と、
前記第１受信回路及び前記第２受信回路の出力側に接続された復調回路と、
この復調回路の出力側に接続された信号処理回路と、
この信号処理回路の出力側に接続された表示部とを有する電子機器。
【請求項１７】
前記復調回路は、前記第１受信回路及び前記第２受信回路の出力が供給される復調器と、この復調器の一方の出力側に接続された誤り訂正器と、前記復調器の他方の出力側と前記制御部との間に挿入された検波部とを有し、前記制御部は、前記検波器の出力信号のレベルが予め定められた値以上である場合に、前記スイッチ回路の出力を前記第２フィルタ回路側に接続するように制御される請求項１６に記載の電子機器。
【請求項１８】
前記復調回路は、前記第１受信回路及び前記第２受信回路の出力が供給される復調器と、この復調器の一方の出力側に接続された誤り訂正器と、前記誤り訂正器の出力と前記制御部との間に挿入された誤り率判定器とを有し、前記制御部は、前記誤り率判定器が予め定められた値以上であると判定した場合に、前記スイッチ回路の出力を前記第２フィルタ回路側に接続するように制御される請求項１６に記載の電子機器。
【発明の詳細な説明】
【技術分野】
【０００１】
本発明は、高周波信号を受信する受信装置と、これを用いた電子機器に関するものである。
【背景技術】
【０００２】
以下、従来の受信装置について図７を用いて説明する。図７において、従来の受信装置１は、アンテナ２の出力側に接続されると共に第１周波数帯の信号を通過させるフィルタ回路３と、このフィルタ回路３の出力側に接続された受信回路４とを有する。このフィルタ回路３として、第１周波数帯の近傍の周波数帯に存在する予め定められた値以上の妨害信号を十分に減衰するために、フィルタ特性が急峻なＳＡＷ（Ｓｕｒｆａｃｅ  Ａｃｏｕｓｔｉｃ  Ｗａｖｅ）フィルタを用いていた。
【０００３】
なお、この出願の発明に関連する先行技術文献情報としては、例えば、特許文献１が知られている。
【特許文献１】特開２００５−１３０２７９号公報
【発明の開示】
【発明が解決しようとする課題】
【０００４】
従来の受信装置１において、フィルタ回路３は希望波帯に非常に近接した妨害波を急峻に減衰させる必要があるため、希望信号である第１周波数の挿入損失（ロス）が大きくなることから受信装置１の受信感度が劣化するため、耐妨害性能と受信感度の両立が困難であった。
【０００５】
そこで本発明は、妨害信号の存在状況に応じて最適なフィルタ回路を選択することにより、希望周波数帯である第１周波数帯における受信装置の受信感度と耐妨害性能とを両立させることを目的とする。
【課題を解決するための手段】
【０００６】
上記目的を達成するために本発明の受信装置は、アンテナ端子と、このアンテナ端子に接続されたスイッチ回路と、このスイッチ回路の一方の出力側に接続されると共に第１周波数帯の信号を通過させる第１フイルタ回路と、この第１フィルタ回路の出力側に接続された第１受信回路とを有する。さらに、本発明の受信装置は、スイッチ回路の他方の出力側に接続されると共に第１周波数帯を含み第１周波数帯よりも広い周波数帯の第２周波数帯の信号を通過させる第２フィルタ回路と、この第２フィルタ回路の出力側に接続された第２受信回路とを有する。さらにまた、本発明の受信装置は、第２フィルタ回路からの妨害信号の受信レベルを検出する検波部と、この検波部が検出した妨害信号の受信レベルが予め定められた値以上の場合、スイッチ回路の出力を第１フィルタ回路側に接続し、検波部が検出した妨害信号の受信レベルが予め定められた値未満の場合、スイッチ回路の出力を第２フィルタ回路側に接続する制御部とを有する。
【発明の効果】
【０００７】
上記構成により、本発明の受信装置は、第１周波数帯の近傍の周波数帯に予め定められた値以上の妨害信号が存在する場合、希望波帯の挿入損失は大きいが妨害波帯の減衰量が大きい第１フィルタ回路を用いることにより、この妨害信号を十分に抑圧することができる。一方、第１周波数帯の近傍の周波数帯に予め定められた値以上の妨害信号が存在しない場合、妨害波帯の減衰量が少ないが希望波帯の挿入損失は小さい第２フィルタ回路を用いることにより、希望周波数帯における受信装置の受信感度を向上させることができる。
【発明を実施するための最良の形態】
【０００８】
（実施の形態１）
以下、本発明における実施の形態１について図１から図５を用いて説明する。図１は、本実施の形態１における受信装置のブロック図である。
【０００９】
アンテナ６は、例えば、９０ＭＨｚから７７０ＭＨｚの周波数のテレビ・ラジオ放送波（高周波信号の一例として用いた）を受信する。アンテナ６で受信したテレビ・ラジオ放送波は受信装置５のアンテナ端子７へ入力される。この受信装置５は入力されたテレビ・ラジオ放送波の中から希望するチャンネルのみを選局し、５００ｋＨｚの中間周波信号へ変換して復調回路１３へ出力され、映像データおよび音声データとして表示部および音声出力部に出力される。
【００１０】
図１において、受信装置５は、アンテナ６と受信装置５とを接続するアンテナ端子７と、このアンテナ端子７に接続された第１スイッチ回路８と、この第１スイッチ回路８の一方の出力側に接続された第１フィルタ回路９と、この第１フィルタ回路９の出力側に接続された第１受信回路１０とを有する。さらに、受信装置５は、スイッチ回路８の他方の出力側に接続された第２フィルタ回路１１と、この第２フィルタ回路１１の出力側に接続された第２受信回路１２とを有する。さらに、第１受信回路１０と第２受信回路１２の出力側には復調回路１３が接続されている。なお、この受信装置５が搭載された電子機器（図示せず）は、この復調回路１３の出力側に接続された信号処理回路（図示せず）と、この信号処理回路の出力側に接続された表示部（図示せず）と音声出力部（図示せず）とを有する。
【００１１】
図１において、第１スイッチ回路８は、入力端子側にアンテナ６が接続されており一方の出力端子側には第１フィルタ回路９、他方の出力端子側には第２フィルタ回路１１が接続されている。この第１スイッチ回路８は、例えばＳＰＤＴ（１入力２出力）タイプのガリウム・砒素などによるスイッチである。
【００１２】
第１フィルタ回路９は、第１周波数帯の信号を通過させる。この第１周波数帯は、例えば、ＶＨＦ帯７チャンネルまたはＶＨＦ帯８チャンネルである。この第１フィルタ回路９は、例えば、第１スイッチ回路８の一方の出力側に接続された第２スイッチ回路１４と、第１受信回路１０の入力側に接続された第３スイッチ回路１５と、これら第２スイッチ回路１４と第３スイッチ回路１５との間に並列接続されると共に、ＶＨＦ帯７チャンネルの信号を通過させるフィルタ１６及びＶＨＦ帯８チャンネルの信号を通過させるフィルタ１７とを有する。なお、このフィルタ１６およびフィルタ１７は希望するチャンネルに近接する不要な妨害波が、第１受信回路１０へ供給されることを防ぐために設けられており、希望するチャンネルに近接する妨害チャンネルを急峻に減衰させるＳＡＷフィルタなど、数種類のフィルタを含んでいる。
【００１３】
第１受信回路１０は、第１フィルタ回路９からの信号を増幅させる第１利得制御増幅器１８と、この第１利得制御増幅器１８からの信号を第１局部発振器１９からの信号を用いて周波数変換する第１混合器２０と、この第１混合器２０からの信号に含まれる高周波ノイズを減衰させる第１ローパスフィルタ２１と、この第１ローパスフィルタ２１からの信号を増幅させる第３利得制御増幅器２２とを有する。
【００１４】
第２フィルタ回路１１は、第１周波数帯を含み第１周波数帯よりも広い周波数帯の第２周波数帯の信号を通過させる。例えば、ＶＨＦ帯６チャンネル、ＶＨＦ帯７チャンネル、ＶＨＦ帯８チャンネル、及びＶＨＦ帯９チャンネルの第２周波数帯の信号を通過させる。なお、この第２フィルタ回路１１は希望するチャンネルから離れた周波数関係にある妨害波（例えば、セルラー妨害波）を減衰させるＬＴＣＣ（Ｌｏｗ  Ｔｅｍｐｅｒａｔｕｒｅ  Ｃｏ−ｆｉｒｅｄ  Ｃｅｒａｍｉｃｓ）フィルタ、誘電体フィルタ、ディスクリートフィルタなど、数種類のフィルタを含んでいる。この第２フィルタ回路１１は、第１フィルタ回路９と比較して、減衰させる周波数帯が希望周波数帯から離れており、フィルタ特性が緩やかである反面、希望波帯の挿入損失は小さいため受信感度の劣化を低減することができる。
【００１５】
また、第２受信回路１２も第１受信回路１０と同様に、第２フィルタ回路１１からの信号を増幅させる第２利得制御増幅器２３と、この第２利得制御増幅器２３からの信号を第２局部発振器２４からの信号を用いて周波数変換する第２混合器２５と、この第２混合器２５からの信号に含まれる高周波ノイズを減衰させる第２ローパスフィルタ２６と、この第２ローパスフィルタ２６からの信号を増幅させる第４利得制御増幅器２７とを有する。さらに第２受信回路１２は、第２混合器２５と第２ローパスフィルタ２６との間に接続されると共に第２混合器２５からの信号の受信レベルを検出する検波部２８を有する。検波部２８は、第２混合器２５の出力が接続され、第２混合器２５から出力された信号レベルに応じた直流電圧を出力する。制御部３２は、検波部２８から出力された電圧が予め定められた閾値電圧より大きい場合に、第１スイッチ回路の出力を第１フィルタ回路側に接続するように制御する。
【００１６】
復調回路１３は、第１受信回路１０からの信号を復調する第１復調部２９と、第２受信回路１２からの信号を復調する第２復調部３０と、これら第１復調部２９からの信号と第２復調部３０からの信号とを合成する合成部３１とを有する。さらに、復調回路１３は、検波部２８の出力側に接続された制御部３２を有する。
【００１７】
以下、この受信装置５の具体的な動作について、図２に示すフローチャートを用いて説明する。
【００１８】
ユーザが第１周波数帯であるＶＨＦ帯７チャンネルを選局した場合（Ｓ１）、まず、希望波チャンネルに近接する妨害波のレベルの検出を実行するためにスイッチ回路８の出力が、制御部３２からの制御により、第２フィルタ回路１１側に接続される（Ｓ２）。そして、第２スイッチ回路１４の出力及び第３スイッチ回路１５の入力がＶＨＦ帯７チャンネルの信号を通過させるフィルタ１６側に接続される（Ｓ３）。次に、第２受信回路１２が、第２フィルタ回路１１を通過した信号のうち、アナログ上側隣接妨害周波数であるＶＨＦ帯８チャンネルを選局する（Ｓ４）。具体的には、制御部３２からのシリアルデータにより第２局部発振器２４が制御され、選局チャンネルに応じた周波数に設定される。そして、検波部２８が、ＶＨＦ帯８チャンネル妨害信号のレベルに応じた電圧を出力する（Ｓ５）。つまり、検波部２８が、希望周波数帯の高域側に隣接する周波数帯の妨害信号の受信レベルを検出する。さらに、制御部３２が、この検波部２８からの出力電圧が示すＶＨＦ帯８チャンネル妨害信号の受信レベルと予め定められた閾値とを比較する（Ｓ６）。この制御部３２における比較の結果、ＶＨＦ帯８チャンネル妨害信号の受信レベルが予め定められた閾値未満の場合、第２受信回路１２が、第２フィルタ回路１１を通過した信号のうち、アナログ下側隣接妨害周波数帯であるＶＨＦ帯６チャンネルを選局する（Ｓ７）。そして検波部２８が、ＶＨＦ帯６チャンネル妨害信号のレベルに応じた電圧を出力する（Ｓ８）。つまり、検波部２８が、希望周波数帯の下域側に隣接する周波数帯の妨害信号の受信レベルを検出する。さらに、制御部３２が、この検波部２８からの出力電圧が示すＶＨＦ帯６チャンネル妨害信号の受信レベルと予め定められた閾値とを比較する（Ｓ９）。この制御部３２における比較の結果、ＶＨＦ帯６チャンネル妨害信号の受信レベルが予め定められた閾値未満の場合、第２受信回路１２が、第２フィルタ回路１１を通過した信号のうち、希望周波数帯であるＶＨＦ帯７チャンネルを選局し（Ｓ１０）、このＶＨＦ帯７チャンネルの信号が第２受信回路１２から信号処理回路を介して表示部に送られ、ＶＨＦ帯７チャンネルが表示部に表示される（Ｓ１１）。
【００１９】
一方、ステップＳ６又はステップＳ１０において、制御部３２における比較の結果、妨害信号の受信レベルが予め定められた閾値以上の場合、若しくはステップＳ１１において、同期外れやＢＥＲ（Ｂｉｔ  Ｅｒｒｏｒ  Ｒａｔｅ）劣化が起こった場合（Ｓ１２）、第１スイッチ回路８の出力が、制御部３２からの制御により、第１フィルタ回路９側に接続される（Ｓ１３）。そして、第１受信回路１０が、第１フィルタ回路９を通過した希望周波数帯であるＶＨＦ帯７チャンネルを選局し（Ｓ１４）、このＶＨＦ帯７チャンネルの信号が第１受信回路１０から信号処理回路を介して表示部に送られ、ＶＨＦ帯７チャンネルが表示部に表示される（Ｓ１５）。このステップＳ１５において、同期外れやＢＥＲ（Ｂｉｔ  Ｅｒｒｏｒ  Ｒａｔｅ）劣化が起こった場合（Ｓ１６）、スイッチ回路８の出力が、制御部３２からの制御により、第２フィルタ回路１１側に接続される（Ｓ１７）。そして、ステップＳ１０に戻り、第２受信回路１２の選局処理が繰り返される。
【００２０】
以上のように、本発明の受信装置５は、第１周波数帯の近傍の周波数帯に予め定められた値以上の妨害信号が存在する場合、希望波帯の挿入損失は大きいが妨害波帯の減衰量が大きい第１フィルタ回路９を用いることにより、この妨害信号を十分に抑圧することができる。一方、第１周波数帯の近傍の周波数帯に予め定められた値以上の妨害信号が存在しない場合、妨害波帯の減衰量が少ないが希望波帯の挿入損失は小さい第２フィルタ回路を用いることにより、希望周波数帯における受信装置の受信感度を向上させることができる。
【００２１】
なお、制御部３２は、第１スイッチ回路８の出力が第１フィルタ回路９側である場合、第２受信回路の電源を遮断し、第１スイッチ回路８の出力が第２フィルタ回路１１側である場合、第１受信回路の電源を遮断することが望ましい。これにより、受信装置５の消費電力を低減することができ、受信装置５が搭載された電子機器を長時間使用することが可能となる。
【００２２】
また、図３（ａ）（ｂ）に示すように、第２利得制御増幅器２３の利得が抑圧動作開始するアンテナ端子７における入力レベル（Ｐ２）は、第１利得制御増幅器１８の利得が抑圧動作開始するアンテナ端子７における入力レベル（Ｐ１）よりも低いことが望ましい。つまり、妨害信号の受信レベル検波を行う第２受信回路１２において、第２利得制御増幅器２３の利得が抑圧動作開始するアンテナ端子７における入力レベル（Ｐ２）を低めに設定しておくことで、高いレベルの妨害信号が入力した場合には利得制御増幅器２３の利得が抑圧し、第２利得制御増幅器２３から出力される妨害信号によって第１混合器２０が歪むことを回避する。これにより検波部において正確に妨害信号のレベルを検出することができる。
【００２３】
さらにまた、検波部２８は図４に示すように第２混合器２５の出力信号をもとに妨害信号のレベルを検出しても良いし、図５に示すように第２利得制御増幅器２３の出力信号をもとに妨害信号のレベルを検出しても良い。図４に示すように第２混合器２５の出力信号をもとに妨害信号のレベルを検出した場合、５００ｋＨｚの中間周波信号へ変換した後に検波するため低周波信号を取り扱うため検波回路の低消費電力化が可能となる。図５に示すように第２利得制御増幅器２３の出力信号をもとに妨害信号のレベルを検出した場合、中間周波信号へ変換する前に検波するため、選局したチャンネル周波数における妨害信号だけでなく、第２フィルタ回路１１を通過した全ての信号の総和レベルを検波することができるため、妨害信号のレベル検出に要する時間を短縮できる。
【００２４】
なお、第２利得制御増幅器２３の最大利得（Ｇ２）は、第１利得制御増幅器１５の最大利得（Ｇ１）より小さいことが望ましい。つまり、妨害信号の受信レベル検波を行う第２受信回路において第２利得制御増幅器２３の増幅度を小さくすることにより、第２利得制御増幅器２３から出力される信号の妨害信号による歪みを抑制することができる。
【００２５】
また、第２利得制御増幅器は妨害信号検出時における最大利得を小さく設定し、希望波信号受信時における最大利得を大きく設定するように切り替え可能であることが望ましい。つまり、検波部２８で妨害信号レベルが低いと判断された場合に、第２利得制御増幅器２３の最大利得を大きくなるように切り替えることで受信感度を改善することができる。
【００２６】
さらにまた、受信装置５は、第３受信回路（図示せず）を有し、妨害信号検出時に、この第３受信回路と第２受信回路１２とを用いて希望周波数帯である第１周波数帯の上下に隣接する２つの周波数帯に存在する妨害信号を受信し、これら２つの周波数帯に存在する妨害信号の受信レベルを略同時に検出しても良い。これにより、妨害信号検出時間を短縮することができる。
【００２７】
なお、受信装置５は、第１フィルタ回路９からの希望信号の受信レベルを検出する希望信号検波部（図示せず）を有し、制御部３２は、この希望信号検波部が検出した希望信号の受信レベルと検波部２８が検出した妨害信号の受信レベルとの比に基づいて、スイッチ回路８の出力を、第１フィルタ回路９側、もしくは第２フィルタ回路１１側に接続しても良い。これにより、受信装置５は、Ｓ／Ｎ（Ｓｉｇｎａｌ  ｔｏ  Ｎｏｉｓｅ  ｒａｔｉｏ）比に応じて、さらに最適なフィルタ回路を選択することができる。
【００２８】
また、受信装置５は、図１において破線で示すように、スイッチ回路８と第２受信回路１２との間に接続された第２アンテナ端子３３を有し、スイッチ回路８の出力が第１フィルタ回路９側である場合、第１受信回路１０がアンテナ端子７から受信した信号と、第２受信回路１２が第２アンテナ端子３３から受信した信号とを用いてダイバーシティ受信をしても良い。これにより、受信装置５の受信品質を向上させることができる。なお、ダイバーシティ受信方式としてはキャリア合成ダイバーシティ、切り替えダイバーシティなどが考えられる。
【００２９】
さらにまた、この受信装置５が搭載された電子機器（図示せず）は、時刻を計時する計時部（図示せず）を有し、この計時部からの時刻を示す信号に基づいて、制御部３２は、スイッチ回路８の出力が第２フィルタ回路１１側に接続されるように制御しても良い。例えば、制御部３２は、２０１１年のアナログ放送廃止時に、スイッチ回路８の出力が常に第２フィルタ回路１１側に接続されるように制御する。これにより、例えば、アナログ妨害信号が存在しない時期になると、常に第２受信回路１２を用いて受信することになり、検波部２８でアナログ妨害信号を検出する必要がなくなり、制御が簡易化されるとともに、受信感度を改善することができる。
【００３０】
なお、検波部における妨害信号の受信レベル検出を希望チャンネルを選局するたびに実行するのではなく、予めチャンネルサーチ時に実行することで妨害信号の検波に要する時間の短縮化が可能となる。
【００３１】
また、受信装置５は、図６に示すように、スイッチ回路８及びスイッチ回路１４の代わりに、入力がアンテナ端子７に接続されると共に出力がＳＡＷフィルタ１６とＳＡＷフィルタ１７と第２フィルタ回路１１とに選択的に接続される１入力３出力のスイッチ回路３４を有していても良い。これにより、アンテナ端子７と第１受信回路１０との間に接続されるスイッチ回路が一つ少なくなるので、受信装置５が第１受信回路１０を用いて信号を受信する場合、受信装置５の受信感度が劣化することを抑制することができる。
【００３２】
なお、本実施の形態ではテレビ・ラジオ放送波を受信する受信装置を例に説明したが、携帯電話用無線装置、ＧＰＳ、ＷＬＡＮ、Ｂｌｕｅｔｏｏｔｈ等の高周波信号受信装置においても適用可能である。
【産業上の利用可能性】
【００３３】
本発明の受信装置は、妨害信号の存在状況に応じて最適なフィルタ回路を選択することにより、希望周波数帯である第１周波数帯における受信装置の受信感度を向上させることができるため、自動車に搭載されるテレビや携帯端末などの電子機器に利用できる。
【図面の簡単な説明】
【００３４】
【図１】本発明の実施の形態１における受信装置のブロック図
【図２】本発明の実施の形態１における受信装置の動作フローチャート
【図３】（ａ）（ｂ）共に、本発明の実施の形態１における利得増幅器の入力レベルとゲインの関係図
【図４】本発明の実施の形態１における検波部の配置を示す図
【図５】本発明の実施の形態１における検波部の配置を示す他の図
【図６】本発明の実施の形態１における受信装置の他のブロック図
【図７】従来の受信装置のブロック図
【符号の説明】
【００３５】
５  受信装置
６  アンテナ
７  アンテナ端子
８  スイッチ回路
９  第１フィルタ回路
１０  第１受信回路
１１  第２フィルタ回路
１２  第２受信回路
２８  検波部
３２  制御部
【図１】
2007266811.tif 000003
【図２】
2007266811.tif 000004
【図３】
2007266811.tif 000005
【図４】
2007266811.tif 000006
【図５】
2007266811.tif 000007
【図６】
2007266811.tif 000008
【図７】
2007266811.tif 000009